(57)【特許請求の範囲】
【請求項１】
第１の時間間隔において、多数のセクタのすべての内部領域内のユーザと、周波数帯域でデータを交換し、かつ、第２の時間間隔において、前記多数のセクタのすべての外部領域内のユーザと、前記周波数帯域で形成される多数の周波数サブ帯域でデータを交換するように構成され、各セクタの前記内部領域は、少なくとも１つのその他のセクタの前記内部領域に隣接する少なくとも１つのプロセッサと、
前記少なくとも１つのプロセッサに接続されたメモリとを備え、前記少なくとも１つのプロセッサは、低減された送信電力で、前記第２の時間間隔において、前記内部領域のうちの少なくとも１つの内部領域内の少なくとも１つのユーザと、前記周波数帯域でデータを交換する装置。
【請求項２】
前記少なくとも１つのプロセッサは、前記第１の時間間隔のために、前記周波数帯域内の周波数値域にわたって全送信電力を分散し、かつ、前記第２の時間間隔のために、前記周波数サブ帯域内の周波数値域にわたって全送信電力を分散させる請求項１に記載の装置。
【請求項３】
第１の時間間隔において、多数のセクタのすべての内部領域内のユーザと、周波数帯域でデータを交換する手段と、
第２の時間間隔において、前記多数のセクタのすべての外部領域内のユーザと、前記周波数帯域で形成された多数の周波数サブ帯域でデータを交換する手段であって、各セクタの前記内部領域は、少なくとも１つのその他のセクタの前記内部領域に隣接する手段と、
低減された送信電力で、前記第２の時間間隔において、前記内部領域のうちの少なくとも１つの内部領域内の少なくとも１つのユーザと、前記周波数帯域でデータを交換する手段とを備える装置。
【請求項４】
前記第１の時間間隔のために、前記周波数帯域内の周波数値域にわたって全送信電力を分散させる手段と、
前記第２の時間間隔のために、前記周波数サブ帯域内の周波数値域にわたって全送信電力を分散させる手段とを更に備える請求項３に記載の装置。
【請求項５】
第１の時間間隔において、多数のセクタのすべての内部領域内のユーザと、周波数帯域でデータを交換することと、
第２の時間間隔において、前記多数のセクタのすべての外部領域内のユーザと、前記周波数帯域で形成された多数の周波数サブ帯域でデータを交換することであって、各セクタの前記内部領域は、少なくとも１つのその他のセクタの前記内部領域に隣接することと、
低減された送信電力で、前記第２の時間間隔において、前記内部領域のうちの少なくとも１つの内部領域内の少なくとも１つのユーザと、前記周波数帯域でデータを交換することとを備える方法。
【請求項６】
実行されると、装置に方法を実行させる命令群で符号化されたコンピュータ読取可能な記憶媒体であって、前記方法は、
第１の時間間隔において、多数のセクタのすべての内部領域内のユーザと、周波数帯域でデータを交換することと、
第２の時間間隔において、前記多数のセクタのすべての外部領域内のユーザと、前記周波数帯域で形成された多数の周波数サブ帯域でデータを交換することであって、各セクタの前記内部領域は、少なくとも１つのその他のセクタの前記内部領域に隣接することと、
低減された送信電力で、前記第２の時間間隔において、前記内部領域のうちの少なくとも１つの内部領域内の少なくとも１つのユーザと、前記周波数帯域でデータを交換することとを備えるコンピュータ読取可能な記憶媒体。
【請求項７】
第１の時間間隔において、多数のセクタのすべての内部領域内のユーザと、周波数帯域でデータを交換し、かつ、第２の時間間隔において、前記多数のセクタのすべての外部領域内のユーザと、前記周波数帯域で形成される多数の周波数サブ帯域でデータを交換するように構成された少なくとも１つのプロセッサであって、各セクタの前記内部領域は、少なくとも１つのその他のセクタの前記内部領域に隣接する少なくとも１つのプロセッサと、
前記少なくとも１つのプロセッサに接続されたメモリと、
低減された送信電力で、前記第２の時間間隔において、前記内部領域のうちの少なくとも１つの内部領域内の少なくとも１つのユーザと、前記周波数帯域でデータを交換するように構成された前記少なくとも１つのプロセッサに接続されたアンテナとを備える基地局。
【請求項８】
第１の時間間隔において、第１の周波数再使用スキームに基づいて、第１のユーザセットとデータを交換し、かつ、第２の時間間隔において、第２の周波数再使用スキームに基づいて、第２のユーザセットとデータを交換するように構成された少なくとも１つのプロセッサであって、前記第１の周波数再使用スキームは、多数のセクタ又はセルのすべての内部領域間(among)の第１の周波数使用ファクタと関連付けられ、前記第２の周波数再使用スキームは、前記多数のセクタ又はセルのすべての外部領域間の第２の周波数使用ファクタと関連付けられ、前記第１の周波数使用ファクタは前記第２の周波数使用ファクタよりも大きい少なくとも１つのプロセッサと、
前記少なくとも１つのプロセッサに接続されたメモリとを備え、
前記少なくとも１つのプロセッサは、低減された送信電力で、前記第２の時間間隔において、前記内部領域のうちの少なくとも１つの内部領域内の少なくとも１つのユーザと、周波数帯域でデータを交換する装置。
【請求項９】
前記第１の周波数使用ファクタは１であり、前記第２の周波数使用ファクタは１より小さい請求項８に記載の装置。
【請求項１０】
前記少なくとも１つのプロセッサは、前記多数のセクタ又はセルの内部領域のうちの１つにおけるユーザの中から前記第１のユーザセットを選択し、かつ、前記第１の時間間隔において、前記内部領域内の前記選択されたユーザへ、前記周波数帯域でデータを送る請求項８に記載の装置。
【請求項１１】
前記少なくとも１つのプロセッサは、前記セクタ又はセルのうちの１つの多数の外部領域内のユーザの中から前記第２のユーザセットを選択し、かつ、前記第２の時間間隔において、前記多数の外部領域内の前記選択されたユーザへ、別の周波数サブ帯域でデータを送る請求項８に記載の装置。
【請求項１２】
前記少なくとも１つのプロセッサは、前記セクタ又はセルのうちの１つの多数の外部領域内のユーザの中から前記第２のユーザセットを選択し、かつ、前期第２の時間間隔の別の部分において、前記多数の外部領域内の前記選択されたユーザへデータを送る請求項８に記載の装置。
【請求項１３】
第１の時間間隔において、第１の周波数再使用スキームに基づいて、第１のユーザセットとデータを交換する手段と、
第２の時間間隔において、第２の周波数再使用スキームに基づいて、第２のユーザセットとデータを交換する手段であって、前記第１の周波数再使用スキームは、多数のセクタ又はセルのすべての内部領域間の第１の周波数使用ファクタと関連付けられ、前記第２の周波数再使用スキームは、前記多数のセクタ又はセルのすべての外部領域間の第２の周波数使用ファクタと関連付けられ、前記第１の周波数使用ファクタは前記第２の周波数使用ファクタよりも大きい手段と、
低減された送信電力で、前記第２の時間間隔において、前記内部領域のうちの少なくとも１つの内部領域内の少なくとも１つのユーザと、周波数帯域でデータを交換する手段とを備える装置。
【請求項１４】
前記第１の周波数使用ファクタは１であり、前記第２の周波数使用ファクタは１より小さい請求項１３に記載の装置。
【請求項１５】
前記第１のユーザセットとデータを交換する手段は、
前記多数のセクタ又はセルの内部領域のうちの１つにおけるユーザの中から前記第１のユーザセットを選択する手段と、
前記第１の時間間隔において、前記内部領域内の前記選択されたユーザへ、前記周波数帯域でデータを送る手段とを備える請求項１３に記載の装置。
【請求項１６】
前記第２のユーザセットとデータを交換する手段は、
前記セクタ又はセルのうちの１つの多数の外部領域内のユーザの中から、前記第２のユーザセットを選択する手段と、
前記第２の時間間隔において、前記多数の外部領域内の前記選択されたユーザへ、別の周波数サブ帯域でデータを送る手段とを備える請求項１３に記載の装置。
【請求項１７】
前記第２のユーザセットとデータを交換する手段は、
前記セクタ又はセルのうちの１つの多数の外部領域内のユーザの中から、前記第２のユーザセットを選択する手段と、
前記第２の時間間隔の別の部分において、前記多数の外部領域内の前記選択されたユーザへデータを送る手段とを備える請求項１３に記載の装置。
【請求項１８】
第１の時間間隔において、第１の周波数再使用スキームに基づいて第１のユーザセットとデータを交換することと、
第２の時間間隔において、第２の周波数再使用スキームに基づいて第２のユーザセットとデータを交換することであって、前記第１の周波数再使用スキームは、多数のセクタ又はセルのすべての内部領域間の第１の周波数使用ファクタと関連付けられ、前記第２の周波数再使用スキームは前記多数のセクタ又はセルのすべての外部領域間の第２の周波数使用ファクタと関連付けられ、前記第１の周波数使用ファクタは前記第２の周波数使用ファクタよりも大きいことと、
低減された送信電力で、前記第２の時間間隔において、前記内部領域のうちの少なくとも１つの内部領域内の少なくとも１つのユーザと、周波数帯域でデータを交換することとを備える方法。
【請求項１９】
実行されると、装置に方法を実行させる命令群で符号化されたコンピュータ読取可能な記憶媒体であって、前記方法は、
第１の時間間隔において、第１の周波数再使用スキームに基づいて第１のユーザセットとデータを交換することと、
第２の時間間隔において、第２の周波数再使用スキームに基づいて第２のユーザセットとデータを交換することであって、前記第１の周波数再使用スキームは、多数のセクタ又はセルのすべての内部領域間の第１の周波数使用ファクタと関連付けられ、前記第２の周波数再使用スキームは前記多数のセクタ又はセルのすべての外部領域間の第２の周波数使用ファクタと関連付けられ、前記第１の周波数使用ファクタは前記第２の周波数使用ファクタよりも大きいことと、
低減された送信電力で、前記第２の時間間隔において、前記内部領域のうちの少なくとも１つの内部領域内の少なくとも１つのユーザと、周波数帯域でデータを交換することとを備えるコンピュータ読取可能な記憶媒体。
【請求項２０】
第１の時間間隔において、第１の周波数再使用スキームに基づいて、第１のユーザセットとデータを交換し、かつ、第２の時間間隔において、第２の周波数再使用スキームに基づいて、第２のユーザセットとデータを交換するように構成された少なくとも１つのプロセッサであって、前記第１の周波数再使用スキームは、多数のセクタ又はセルのすべての内部領域間の第１の周波数使用ファクタと関連付けられ、前記第２の周波数再使用スキームは、前記多数のセクタ又はセルのすべての外部領域間の第２の周波数使用ファクタと関連付けられ、前記第１の周波数使用ファクタは前記第２の周波数使用ファクタよりも大きい少なくとも１つのプロセッサと、
前記少なくとも１つのプロセッサに接続されたメモリを備え、
低減された送信電力で、前記第２の時間間隔において、前記内部領域のうちの少なくとも１つの内部領域内の少なくとも１つのユーザと、周波数帯域でデータを交換するように構成された前記少なくとも１つのプロセッサに接続されたアンテナとを備える基地局。
【請求項２１】
前記周波数帯域で形成される前記多数の周波数サブ帯域は、連続した周波数値域のブロックを含む請求項１に記載の装置。
【請求項２２】
前記周波数帯域で形成される前記多数の周波数サブ帯域は、連続した周波数値域のブロックを含む請求項３に記載の装置。
【請求項２３】
前記周波数帯域で形成される前記多数の周波数サブ帯域は、連続した周波数値域のブロックを含む請求項５に記載の方法。
【請求項２４】
前記周波数帯域で形成される前記多数の周波数サブ帯域は、連続した周波数値域のブロックを含む請求項６に記載のコンピュータ読取可能な記憶媒体。
【請求項２５】
前記周波数帯域で形成される前記多数の周波数サブ帯域は、連続した周波数値域のブロックを含む請求項７に記載の基地局。
【請求項２６】
前記第２の周波数再使用スキームは、異なる連続した周波数サブ帯域を割り当てる請求項８に記載の装置。
【請求項２７】
前記第２の周波数再使用スキームは、異なる連続した周波数サブ帯域を割り当てる請求項１３に記載の装置。
【請求項２８】
前記第２の周波数再使用スキームは、異なる連続した周波数サブ帯域を割り当てる請求項１８に記載の方法。
【請求項２９】
前記第２の周波数再使用スキームは、異なる連続した周波数サブ帯域を割り当てる請求項１９に記載のコンピュータ読取可能な記憶媒体。
【請求項３０】
前記第２の周波数再使用スキームは、異なる連続した周波数サブ帯域を割り当てる請求項２０に記載の基地局。
【発明の詳細な説明】
【技術分野】
【０００１】
本開示は、一般に、通信に関し、特に、無線通信システムにおいて干渉を緩和する技術に関する。
【背景技術】
【０００２】
無線多元接続通信システムは、ダウンリンク及びアップリンク上の多数の端末のための通信を同時にサポートすることができる。ダウンリンク（又は順方向リンク）は、基地局から端末へ通信リンクを称し、アップリンク（又は逆方向リンク）は、端末から基地局へ通信リンクを称する。多数の端末が同時に、アップリンクでデータを送信し、ダウンリンクでデータを受信するかもしれない。これは、時間、周波数、及び／又は符号領域において互いに直交するように、各リンク上のデータ送信を多重化することにより達成されうる。この直交性は、各端末のデータ送信と、他の端末のデータ送信との干渉を最小にすることを保証する。
【０００３】
多元接続システムは一般に多くのセルを有する。ここで、用語「セル」は、その用語が使用されている状況に依存して基地局及び／又はその有効範囲領域を称することができる。同じセル内の端末のためのデータ送信は、「セル内」干渉を回避するために、直交多重化を用いて送信されうる。しかしながら、異なるセル内の端末のためのデータ送信は直交しないかもしれない。その場合には、端末はそれぞれ、他のセルからの「セル間」干渉を観察するだろう。セル間干渉は、高レベルの干渉を観察する端末に対して、性能を顕著に低下させうる。
【０００４】
セル間干渉と格闘するために、システムは、セルがそれぞれシステムに利用可能な周波数帯域の一部のみを使用する周波数再使用スキームを適用しうる。例えば、システムは、７つのセル再使用パターンと、１／７の周波数使用ファクタを適用しうる。このシステムでは、周波数帯域は７つの周波数サブ帯域に分割される。また、７つのセルクラスタ内のセルはそれぞれ、７つの周波数サブ帯域のうちの１つに割り当てられる。セルはそれぞれ、１つのみの周波数サブ帯域を使用し、７つおきのセルは全て、同じ周波数サブ帯域を再使用する。この周波数再使用スキームを用いると、同じ周波数サブ帯域が、互いに隣接していないセル内でのみ再使用され、各セル内で観察されるセル間干渉が、全てのセルが周波数帯域全体を使用する場合に対して相対的に減少する。しかしながら、小さな周波数使用ファクタ（例えば１／７）は、各セルが、周波数帯域の一部のみしか使用できないので、使用可能なシステムリソースの非効率的な使用を表す。
【０００５】
従って、当該技術では、セル間干渉をより効率的な方法で低減する技術に対するニーズがある。
【発明の概要】
【０００６】
本特許出願は、２００５年２月１１日に出願され、本明細書の譲受人に譲渡され、本明細書で参照によって明確に組み込まれている"FREQUENCY PLANNING SCHEME FOR AN OFDM SYSTEM"と題された米国仮出願番号６０／６５２，５１８号の優先権を主張する。
【０００７】
本明細書では、効率的な方法でセル間干渉を緩和することができる技術が記述される。本発明の実施形態によれば、少なくとも１つのプロセッサ及びメモリを含む装置が記述される。プロセッサは、第１の時間間隔において、セル内の少なくとも１つの内部領域内のユーザと周波数帯域でデータを交換する（例えば、データの送受信を行う）。プロセッサは、周波数帯域で形成される多数の周波数サブ帯域で、第２の時間間隔において、セルの多数の外部領域内のユーザとデータを交換する。例えば、周波数帯域は、３つのオーバラップしない周波数サブ帯域へ分割されうる。そして、プロセッサは、第２の時間間隔において、第１、第２、及び第３の各周波数サブ帯域で、第１、第２、及び第３の各外部領域内のユーザとデータを交換する。近隣セルのうち隣接する外部領域は、セル間干渉を緩和するために、第２の時間間隔において、異なる周波数サブ帯域を使用しうる。ユーザが位置する領域は、パイロット測定及び／又はその他の測定に基づいて決定されうる。
【０００８】
別の実施形態によれば、第１の時間間隔において、セルのうちの少なくとも１つの内部領域内のユーザと、周波数帯域でデータを交換する方法が提供される。データは、周波数帯域で形成される多数の周波数サブ帯域で、第２の時間間隔において、セルのうちの多数の外部領域内のユーザと交換される。
【０００９】
また別の実施形態によれば、第１の時間間隔において、セルのうちの少なくとも内部領域内のユーザと周波数帯域でデータを交換する手段を含む装置が記述される。この装置は更に、周波数帯域で形成される多数の周波数サブ帯域上で、第２の時間間隔において、セルのうちの多数の外部領域内のユーザとデータを交換する手段を含む。
【００１０】
また別の実施形態によれば、少なくとも１つのプロセッサ及びメモリを含む装置が記述される。プロセッサは、第１の時間間隔において、セクタの第１の領域におけるユーザと周波数帯域でデータを交換する。プロセッサは、周波数帯域の一部である周波数サブ帯域で、第２の時間間隔において、セクタの第２の領域内のユーザとデータを交換する。近隣セルにおける隣接セクタは、セル間干渉を緩和するために、第２の時間間隔において、異なる周波数サブ帯域を使用してもよい。
【００１１】
また別の実施形態によれば、第１の時間間隔において、セクタの第１の領域内のユーザと周波数帯域でデータを交換する方法が提供される。データは、周波数サブ帯域で、第２の時間間隔において、セクタの第２の領域内のユーザと交換される。
【００１２】
また別の実施形態によれば、第１の時間間隔において、セクタの第１の時間領域内のユーザと、周波数帯域でデータを交換する手段を含む装置が記述される。この装置は更に、第２の時間間隔において、セクタの第２の領域内のユーザと周波数サブ帯域でデータを交換する手段を含む。
【００１３】
また別の実施形態によれば、少なくとも１つのプロセッサ及びメモリを含む装置が記述される。プロセッサは、第１の周波数再使用スキームに基づいて、第１の時間間隔において、第１のユーザセットとデータを交換する。プロセッサは、第２の周波数再使用スキームに基づいて、第２の時間間隔において、第２のユーザセットとデータを交換する。
【００１４】
また別の実施形態によれば、第１の周波数再使用スキームに基づいて、第１の時間間隔において、第１のユーザセットとデータを交換する方法が提供される。データは、第２の周波数再使用スキームに基づいて、第２の時間間隔において、第２のユーザセットと交換される。
【００１５】
また別の実施形態によれば、第１の周波数再使用スキームに基づいて、第１の時間間隔において、第１のユーザセットとデータを交換する手段を含む装置が提供される。この装置は更に、第２の周波数再使用スキームに基づいて、第２の時間間隔において、第２のユーザセットとデータを交換する手段を含む。
【００１６】
また別の実施形態によれば、少なくとも１つのプロセッサ及びメモリを含む端末が記述される。もしも端末が、セクタ又はセルの内部領域内に位置するのであれば、プロセッサは、第１の時間間隔において、周波数帯域で基地局とデータを交換する。もしも端末が、セクタ又はセルの外部領域内に位置するのであれば、プロセッサは、第２の時間間隔において、周波数帯域で基地局とデータを交換する。周波数サブ帯域は、周波数帯域で形成される多数の周波数サブ帯域のうちの１つである。
【００１７】
また別の実施形態によれば、もしも端末が、セクタ又はセルの内部領域内に位置するのであれば、第１の時間間隔において、周波数帯域で基地局とデータが交換される方法が提供される。もしも端末が、セクタ又はセルの外部領域内に位置するのであれば、第２の時間間隔において、周波数帯域で基地局とデータが交換される。
【００１８】
また別の実施形態によれば、もしも端末が内部領域内に位置するのであれば、第１の時間間隔において、周波数帯域で基地局とデータを交換する手段を含む装置が記述される。この装置は更に、もしも端末がセクタ又はセルの外部領域内に位置するのであれば、第２の時間間隔において、周波数帯域で基地局とデータを交換する手段を含む。
【００１９】
本発明の様々な実施形態が、以下に更に詳細に記述される。
【図面の簡単な説明】
【００２０】
【図１】図１は、無線多元接続通信システムを示す。
【図２】図２は、セクタ化されていないセルのモデルを示す。
【図３】図３は、７つのセクタ化されていないセルのクラスタ用の典型的なセルレイアウトを示す。
【図４Ａ】図４Ａは、内部領域におけるユーザのスケジューリングを示す。
【図４Ｂ】図４Ｂは、外部領域におけるユーザのスケジューリングを示す。
【図５】図５は、セクタ化されたセルのモデルを示す。
【図６】図６は、７つのセクタ化されたセルのクラスタ用の典型的なセルレイアウトを示す。
【図７Ａ】図７Ａは、典型的な周波数サブ帯域構造を示す。
【図７Ｂ】図７Ｂは、別の典型的な周波数サブ帯域構造を示す。
【図８】図８は、典型的な送信スケジュールを示す。
【図９】図９は、セルにおけるデータ送信のための処理を示す。
【図１０】図１０は、セクタにおけるデータ送信のための処理を示す。
【図１１】図１１は、多数の周波数再使用スキームを用いてデータを送信する処理を示す。
【図１２】図１２は、端末によってデータを交換する処理を示す。
【図１３】図１３は、基地局と端末とのブロック図を示す。
【発明を実施するための形態】
【００２１】
用語「典型的」（exemplary）は、本明細書では、「例、インスタンス、又は例示として役立つ」ことを意味するために使用される。本明細書で「典型的」と記載された何れの実施形態も、他の実施形態よりも好適であるとか有利であるとか必ずしも解釈される必要はない。
【００２２】
図１は、無線多元接続通信システム１００を示す。システム１００は、多くの端末１２０のための通信をサポートする多くの基地局１１０を含んでいる。基地局は、一般に、端末と通信する固定局であり、ノードＢ、アクセスポイント、又はその他幾つかの用語でも称される。端末１２０は、一般に、システム全体にわたって分布しており、各端末は固定式又はモバイルでありうる。端末はまた、ユーザ機器（ＵＥ）、移動局、無線通信デバイス、あるいはその他の幾つかの用語で称されうる。端末は、恐らく、任意の与えられた瞬間において、ダウンリンク及び／又はアップリンクで多数の基地局と通信しうる。用語「端末」及び「ユーザ」は、下記記述において交換可能に使用される。
【００２３】
集中化されたアーキテクチャの場合、システムコントローラ１３０が、基地局に連結しており、これらの基地局に調整及び制御を提供する。システムコントローラ１３０はまた、ラジオネットワークコントローラ（ＲＮＣ）、基地局コントローラ（ＢＳＣ）、モバイル交換局（ＭＳＣ）、あるいはその他の幾つかの用語で称されうる。分散型アーキテクチャの場合、基地局は、例えば端末にサービス提供するため、システムリソースの使用量を調整する等のために、必要に応じて互いに通信する。
【００２４】
キャパシティを増加させるために、基地局の有効範囲領域は、多数のセクタへ分割されうる。セクタはそれぞれ異なるアンテナビームパターンによって規定されうる。例えば、基地局有効範囲領域は、互いから１２０°を示す３つのビームパターンを持った３つのセクタへ分割されうる。各セクタは、基地トランシーバサブシステム（ＢＴＳ）によってサービス提供されうる。セクタ化されたセルの場合、そのセルのための基地局は、一般に、そのセルの全てのセルためのＢＴＳを含む。一般に、用語「セクタ」は、その用語が使用される状況に応じて、ＢＴＳ及び／又はＢＴＳの有効範囲領域を称することができる。簡略のため、以下の記載では、用語「基地局」は、一般に、セルにサービス提供する固定局と、セクタにサービス提供する固定局との両方のために使用される。
【００２５】
簡略のため、図１は、ダウンリンク及びアップリンクでサービス提供基地局と通信している各端末を示す。各端末は、ダウンリンクによって別の基地局からのセル間干渉を観察するかもしれないし、アップリンクによって他の端末とのセル間干渉を引き起こすかもしれない。
【００２６】
本明細書で記載する送信技術は、例えば、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム等のような様々な通信システムのために使用されうる。ＣＤＭＡシステムは、広帯域ＣＤＭＡ（Ｗ−ＣＤＭＡ）、ｃｄｍａ２０００等のような１又は複数のラジオアクセス技術（ＲＡＴ）を実現しうる。ｃｄｍａ２０００は、ＩＳ−２０００規格、ＩＳ−８５６規格、及びＩＳ−９５規格をカバーする。ＴＤＭＡシステムは、グローバル移動体通信システム（ＧＳＭ（登録商標））のようなＲＡＴを実現しうる。これら様々なＲＡＴ及び規格は当該技術で周知である。ＯＦＤＭＡシステムは、直交周波数分割多重化（ＯＦＤＭ）を使用して、直交周波数値域上の周波数領域内で変調シンボルを送信する。ＳＣ−ＦＤＭＡシステムは、直交周波数値域上の時間領域において変調シンボルを送信する。システムはまた、例えばＷ−ＣＤＭＡ及びＯＦＤＭのようなラジオ技術の組み合わせを利用する。
【００２７】
明確化のために、多数の周波数値域を備えたシステムに関する送信技術が後述される。これは、ＯＦＤＭ、ＳＣ−ＦＤＭＡ、又はその他幾つかの変調技術で取得されうる。ＯＦＤＭ及びＳＣ−ＦＤＭＡは、システム帯域幅又は周波数帯域を、多数（Ｋ個）の直交周波数値域に分割する。これらはまた、トーン、サブキャリア、値域等とも称される。周波数値域はそれぞれ、データで変調されうる各サブキャリアと関連する。
【００２８】
局面では、共有の時間及び周波数分割が、セル間干渉を緩和するために使用される。実施形態では、利用可能な周波数帯域が、多数のオーバラップしない周波数サブ帯域へ分割される。送信スケジュールも時間間隔へ分割される。時間間隔のうちの幾つかは、Ｔｉｎ時間間隔として明示され、時間間隔のうちの他の幾つかは、Ｔｏｕｔ時間間隔として明示される。下記に述べるように、セル間干渉を緩和するために、多数の周波数サブ帯域が、異なる時間間隔内で使用されてもよい。
【００２９】
本明細書に記載した送信技術は、セクタ化されたセルを有するシステムのみならず、セクタ化されてないセルを有するシステムにも使用される。セクタ化されたセルは、多数のセクタに分割されたセルである。セクタ化されていないセルは、セクタに分割されないセルである。
【００３０】
図２は、セクタ化されてないセル２１０のモデルを示す。このモデルでは、基地局の有効範囲領域は理想的な六角形によってモデル化される。一般に、基地局有効範囲領域は、任意のサイズ及び形状でありうるし、一般に、土地、障害物等のような様々な要因に依存する。基地局有効範囲領域は、隣接しているか、あるいは隣接してない領域かもしれない。また、セル端は、極めて複雑かもしれない。
【００３１】
基地局有効範囲領域は、多数の領域へ分割されうる。領域はまた、セクション、エリア、部分等と称されうる。図２に示す実施形態では、基地局有効範囲領域は、それぞれ領域０，１，２，３とラベルされる４つの領域２２０ａ，２２０ｂ，２２０ｃ，２２０ｄへ分割される。領域０は、内部領域であり、セルの中心領域を含んでいる。領域０は、図２において円でモデル化される。領域０内のユーザは、内部ユーザあるいは内部円ユーザと称される。領域１，２，３は外部領域であり、セルの外部領域を含んでいる。各外部領域は理想的な六角形の１／３によってモデル化されるが、内部領域０に属する中心エリアには存在しない。領域１，２，３内のユーザは、外部ユーザあるいは外部円ユーザと称される。
【００３２】
実施形態では、利用可能な周波数帯域は、ｆ１，ｆ２，ｆ３として示される３つの周波数サブ帯域へ分割される。周波数サブ帯域ｆ１はＫ１個の周波数値域を含み、周波数サブ帯域ｆ２はＫ２個の周波数値域を含み、周波数サブ帯域ｆ３はＫ３個の周波数値域を含んでいる。ここでＫ＝Ｋ１＋Ｋ２＋Ｋ３であり、Ｋは、周波数帯域における周波数値域の合計数である。下記に述べるように、周波数帯域は、様々な方法で分割されうる。３つの周波数サブ帯域は、同数の、あるいは異なる数の周波数値域を含みうる。
【００３３】
図３は、セル１乃至７としてラベルされる７つのセクタ化されていないセルのクラスタ用の典型的なセルレイアウト３００を示す。各セルは、図２に示すような内部領域０と、３つの外部領域１，２，３とに分割される。実施形態では、各セルの内部領域０は、３つ全ての周波数サブ帯域ｆ１，ｆ２，ｆ３が割り当てられる。各セルの３つの外部領域１，２，３は、周波数サブ帯域ｆ１，ｆ２，ｆ３それぞれが割り当てられる。従って、外部領域ｉ、ｉ∈｛１，２，３｝、は、周波数サブ帯域ｆｉが割り当てられる。各領域内のユーザは、その領域に割り当てられた周波数サブ帯域内の周波数値域が割り当てられうる。
【００３４】
図３に示す実施形態では、与えられたセルの外部領域はそれぞれ、２つの近隣セル内に割り当てられた異なる周波数サブ帯域である２つの外部領域に隣接している。例えば、セル１の外部領域１は、セル２の外部領域２及びセル７の外部領域３に隣接している。セル１の外部領域２は、セル５の外部領域１及びセル６の外部領域３に隣接している。セル１の外部領域３は、セル３の外部領域２及びセル４の外部領域１に隣接している。各セルの外部領域はそれぞれ、２つの近隣セル内の２つの隣接した外部領域に対して周波数において直交する。
【００３５】
図４Ａは、内部ユーザをスケジュールする実施形態を図示する。この実施形態では、全てのセルの内部ユーザは、Ｔｉｎ時間間隔中にスケジュールされる。３つの周波数サブ帯域ｆ１，ｆ２，ｆ３の全ては、各セル内でスケジュールされる内部ユーザのために使用されてもよい。全てのセルの内部領域は、灰色の陰影で示される。図４Ａに示すように、各セルの内部領域は、近隣セルの内部領域からある距離離れて位置している。従って、これらのセルの内部ユーザに、同じ周波数値域が割り当てられても、各セルの内部ユーザは、近隣セルの内部ユーザからの僅かなセル間干渉しか観察しないかもしれないし、近隣セルの内部ユーザに対して僅かな干渉しか引き起こさないかもしれない。
【００３６】
図４Ｂは、外部ユーザをスケジュールする実施形態を図示する。この実施形態では、全てのセルの外部ユーザは、Ｔｏｕｔ時間間隔中にスケジュールされる。周波数帯域の一部である割当周波数サブ帯域のみが、各セルの個々の外部領域においてスケジュールされたユーザのために使用される。図４Ｂでは、全てのセルの外部領域１は灰色の陰影で示され、全てのセルの外部領域２は水平ハッチングで示され、全てのセルの外部領域３は斜めのハッチングで示される。図４Ｂに示すように、近隣セルの隣接した外部領域は、異なる周波数サブ帯域が割り当てられる。従って、各セルの個々の外部領域内の外部ユーザは、近隣セルの隣接した外部領域内の外部ユーザからのセル間干渉を観察しない。同じ周波数サブ帯域ｆｉが割り当てられた外部領域は、一般に、１つの外部領域によって互いに分離される。従って、与えられた外部領域ｉ内のユーザは、近隣セルの外部領域ｉにおけるユーザから僅かなセル間干渉しか観察せず、近隣セルの外部領域ｉにおけるユーザへ僅かなセル間干渉しかもたらさない。
【００３７】
別の実施形態では、幾つかのセル、あるいは全てのセルは、Ｔｉｎ時間間隔と同様にして、送信電力は低減されるものの、周波数帯域全体で、Ｔｏｕｔ時間間隔で、内部ユーザとデータを交換しうる。この実施形態は、例えば、与えられたセル内に全く外部ユーザが存在しないか、あるいは極僅かしか外部ユーザが存在しないのであれば、幾つかの柔軟性を与える。低減した送信電力を用いることによって、もしもあれば、近隣セル内の他の送信に対する低い干渉を保証する。
【００３８】
図５は、セクタ化されたセル５１０のモデルを示す。図５に示される実施形態では、基地局有効範囲領域が、セクタ１，２，３としてラベルされる３のセクタ５２０ａ,５２０ｂ，５２０ｃへそれぞれ分割される。図５に示すモデルの場合、基地局有効範囲領域は理想的な六角形によってモデル化される。また、セクタはそれぞれ理想的な六角形の１／３によってモデル化される。実施形態では、セクタはそれぞれ、内部領域５２２及び外部領域５２４へ分割される。この実施形態では、セルは、セルの３つのセクタについて、３つの内部領域及び３つの外部領域を含んでいる。
【００３９】
図６は、セル１乃至７としてラベルされた７つのセクタ化されたセルの典型的なセルレイアウトに示す。図５に示すように、セルはそれぞれ、３つのセクタ１，２，３へ分割され、セクタはそれぞれ、内部領域及び外部領域へ分割される。実施形態では、各セルの３つのセクタ１，２，３は、周波数サブ帯域ｆ１，ｆ２，ｆ３にそれぞれ関連している。与えられたセルのセクタはそれぞれ、２つの近隣セル内の異なる周波数サブ帯域に関連している２つのセクタに隣接している。例えば、セル１のセクタ１は、セル２のセクタ２及びセル７のセクタ３に隣接している。セル１のセクタ２は、セル５のセクタ１及びセル６のセクタ３に隣接している。セル１のセクタ３は、セル３のセクタ２及びセル４のセクタ１に隣接している。
【００４０】
実施形態では、セクタはそれぞれ、Ｔｉｎ時間間隔中に、全周波数サブ帯域で内部ユーザと通信しうる。セクタはそれぞれ、Ｔｏｕｔ時間間隔中に、関連する周波数サブ帯域で、外部ユーザと通信しうる。図６に示すように、近隣セルの隣接セクタは、異なる周波数サブ帯域に関連している。従って、各セルの各セクタの外部ユーザは、近隣セルの隣接セクタ内の外部ユーザからのセル間干渉を観察しない。
【００４１】
与えられたリンクによる送信に利用可能な全送信電力Ｐｍａｘは、送信に使用される周波数サブ帯域にわたって分割されうる。Ｔｉｎ時間間隔中に、Ｋ個全ての周波数値域が、図３に示す実施形態の場合各セルにおいて、図５に示す実施形態の場合各セクタにおいて、スケジュールされた内部ユーザのためにそれぞれ使用されうる。各周波数値域ｋの送信電力Ｐｋは、次のように設定されうる。
【数１】
0005539464.tif 000002
【００４２】
Ｔｏｕｔ時間間隔中、周波数サブ帯域ｆｉ内のＫｉ個の周波数値域が、各セルの外部領域ｉ又はセクタｉ内でスケジュールされたユーザのために使用されてもよい。外部領域ｉ又はセクタｉ内の各周波数値域ｋに対する送信電力Ｐｋ，ｉは、以下のように設定されうる。
【数２】
0005539464.tif 000003
【００４３】
式（１）及び（２）に示すように、Ｔｉｎ時間間隔中の内部ユーザのための値域毎の送信電力Ｐｋは、Ｔｏｕｔ時間間隔中の外部ユーザのための値域毎の送信電力Ｐｋよりも低い。値域毎の送信電力Ｐｋが低いことによって、内部ユーザ間のセル間干渉が低くなるという結果に至る。
【００４４】
セクタ化されたセルと、セクタ化されていないセルとの両方について、ユーザが位置する領域は、様々な方法で確かめられる。実施形態では、与えられたユーザｕが位置する領域は、ユーザｕによって、あるいは、ユーザｕのために保持された「アクティブセット」に基づいて判定される。アクティブセットは、ユーザにサービス提供している全てのセル／セクタ、ユーザにサービス提供する候補である全てのセル／セクタ、ユーザによって強く受信されるセル／セクタ、ユーザを強く受信するセル／セクタ等を含む。例えば、セル／セクタのための受信パイロット電力が、加算しきい値を超えているとユーザｕによって測定された場合、セクタ／セルが、アクティブセットに加えられる。あるいは又はそれに加えて、ユーザｕのための受信パイロット電力が、加算しきい値を超えているとセル／セクタにおいて測定された場合、セル／セクタが、アクティブセットに加えられる。セル／セクタはまた、その他の方法でアクティブセットに加えられうる。
【００４５】
表１は、図３のセル１における与えられたユーザのための幾つかの可能なアクティブセットをリストしている。アクティブセットはそれぞれ、１又は２つのセルを含んでいる。個々のアクティブセットについて、表１は、ユーザが位置すると考えられる領域、およびユーザのために使用されうる周波数サブ帯域を示す。アクティブセットがセル１のみを含んでいる場合、他のセルがユーザによって強く受信されないので、ユーザは、内部領域０に位置すると考えられる。アクティブセットがセル１および別のセルｙを含んでいる場合、セルｙもユーザによって強く受信されるので、ユーザは、近隣セルｙに接する外部領域に位置すると考えられる。
【表１】
0005539464.tif 000004
【００４６】
別の実施形態では、与えられたユーザが位置する領域が、ユーザの位置推定に基づいて判定される。ユーザの位置は、例えば、全地球測位システム（ＧＰＳ）、高度な順方向リンク三辺測量術（Ａ−ＦＬＴ）等のような様々な位置判定技術を使用して推定されうる。ユーザが位置する領域は、位置推定、及び、セルレイアウト情報に基づいて判定されうる。
【００４７】
与えられたユーザが位置する領域を判定するための幾つかの実施形態を記述した。ユーザが位置する領域はまた、他の方法によって、及び／又は、受信パイロット電力ではない他の測定値に基づいて判定されうる。例えば、強いセル／セクタは、信号対雑音比（ＳＮＲ）、チャネル利得等に基づいて識別されうる。一般に、ユーザが位置する領域は、直接測定に基づいて判定されるか、及び／又は、関連する測定値、セルレイアウト、あるいは他の情報に基づいて推定されうる。
【００４８】
周波数帯域内の合計Ｋ個の周波数値域は、オーバラップしない周波数サブ帯域に、様々な方法で分布されうる。周波数サブ帯域は、もしあれば、各周波数値域が１つのみのサブ帯域に属するという点でオーバラップしていないか直交している。
【００４９】
図７Ａは、周波数サブ帯域構造７００を示す。これは、３の周波数サブ帯域ｆ１,ｆ２，ｆ３へ周波数帯域を分割する実施形態である。この実施形態では、各サブ帯域が、周波数帯域全体にわたって一様に分布したＫ／３個の値域をほぼ含むことができるように、合計Ｋ個の周波数値域が、３つの周波数サブ帯域に分散される。周波数サブ帯域ｆ１は、周波数値域１，４，７等を含み、周波数サブ帯域ｆ２は、周波数値域２，５，８等を含み、周波数サブ帯域ｆ３は、周波数値域３，６，９等を含みうる。
【００５０】
図７Ｂは、周波数サブ帯域構造７１０を示す。これは、３の周波数サブ帯域ｆ１，ｆ２，ｆ３へ周波数帯域を分割する別の実施形態である。この実施形態では、各サブ帯域がＫ／３個の連続した値域をほぼ含むことができるように、合計Ｋ個の周波数値域が、３つの周波数サブ帯域に分散される。周波数サブ帯域ｆ１は、周波数値域１〜Ｋ／３を含み、周波数サブ帯域ｆ２は、周波数値域Ｋ／３＋１〜２Ｋ／３を含み、周波数サブ帯域ｆ３は、周波数値域２Ｋ／３＋１〜Ｋを含みうる。
【００５１】
一般に、周波数サブ帯域はそれぞれ、任意の数の周波数値域と、合計Ｋ個の周波数値域のうちの何れか１つとを含みうる。周波数ダイバーシティを得るために、周波数サブ帯域はそれぞれ、例えば図７Ａに示すように、周波数帯域から得られた周波数値域を含んで良い。チャネル推定のためのパイロットオーバヘッドを低減するために、周波数サブ帯域はそれぞれ、例えば図７Ｂに示すように、連続した周波数値域のブロックを含みうる。
【００５２】
同じか又は異なる周波数サブ帯域構造が、ダウンリンク及びアップリンクのために使用されうる。例えば、サブ帯域構造７００がダウンリンクに使用され、サブ帯域構造７１０がアップリンクに使用されうる。各リンクのための周波数サブ帯域は、固定式かもしれないし、あるいは設定可能であるかもしれない。各周波数サブ帯域内にどの周波数値域が含まれているのかを示す情報は、端末によって演繹的に知られているか、あるいは、基地局によってブロードキャストされる。
【００５３】
図８は、本明細書に記載した送信技術のために使用される典型的な送信スケジュール８００を示す。図８に示す実施形態では、送信スケジュールは、Ｔｉｎ間隔スパン及びＴｏｕｔ間隔スパンとして交互に指定されている時間間隔へ分割される。各Ｔｉｎ時間間隔は、Ｎｉｎ個のフレームにわたり、各Ｔｏｕｔ時間間隔は、Ｎｏｕｔ個のフレームにわたる。ここで、一般に、Ｎｉｎ≧１かつＮｏｕｔ≧１である。各フレームはそれぞれ、例えば２，５，１０，２０，４０，８０ミリ秒（ｍｓ）のような任意の時間持続にわたりうる。
【００５４】
一般に、Ｔｉｎ時間間隔及びＴｏｕｔ時間間隔は、同じ持続時間かもしれないし、異なる持続時間かもしれない。Ｔｉｎ時間間隔及びＴｏｕｔ時間間隔は、固定持続時間を有しうる。これは、内部領域及び外部領域のために期待されるデータ要求に基づいて選択されうる。あるいは、Ｔｉｎ時間間隔及びＴｏｕｔ時間間隔は、設定可能な持続時間を有しうる。これは、内部領域及び外部領域のための実際のデータ要求に基づいて選択されうる。
【００５５】
この送信技術はまた、単一の周波数サブ帯域又は単一のキャリアとともに使用されうる。例えば、各Ｔｏｕｔ時間間隔は、より小さなＴ１，Ｔ２，Ｔ３時間間隔へ分割されうる。全てのセルの外部領域１内のユーザは、Ｔ１時間間隔において単一の周波数サブ帯域での送信のためにスケジュールされ、外部領域２内のユーザは、Ｔ２時間間隔でスケジュールされ、外部領域３内のユーザは、Ｔ３時間間隔でスケジュールされうる。
【００５６】
図９は、本明細書に記載の送信技術に従ってデータを交換する処理９００の実施形態を示す。処理９００は、セルによって実行されうる。各ユーザが位置する領域は、例えば、ユーザのアクティブセット、異なるセル又はセクタのユーザによってなされた測定、ユーザのために、異なるセル又はセクタによってなされた測定等に基づいて判定されうる（ブロック９１２）。セルは、少なくとも１つの内部領域と多数の外部領域へ分割されうる。例えば、セルは、（１）図２に示すように、１つの基地局によってサービス提供される１つの内部領域と、３つの外部領域、あるいは（２）図５に示すように、３つのＢＴＳによってサービス提供される３つの内部領域と、３つの外部領域に分割されうる。セルはまた、それよりも少ない領域又はそれよりも多い領域へ分割されうる。多数の領域へのセルの分割は、異なるアンテナビームパターンによって物理的に、あるいは、事実上、測定値やその他の情報に基づいて達成されうる。
【００５７】
内部領域内のユーザは、Ｔｉｎ時間間隔における送信のためにスケジュールされる（ブロック９１４）。外部領域内のユーザは、Ｔｏｕｔ時間間隔における送信のためにスケジュールされる（ブロック９１６）。データは、Ｔｉｎ時間間隔において、内部領域内のスケジュールされたユーザと周波数帯域全体で交換される（ブロック９１８）。データは、Ｔｏｕｔ時間間隔において、多数の外部領域内のスケジュールされたユーザと、異なる周波数サブ帯域で交換される（ブロック９２０）。例えば、３つの外部領域１，２，３がある場合、周波数帯域は、３の周波数サブ帯域ｆ１，ｆ２，ｆ３へ分割されうる。そして、データは、内部領域内のスケジュールされたユーザと、３つ全ての周波数サブ帯域で交換されうる。データは、外部領域１，２，３内のスケジュールされたユーザと、周波数サブ帯域ｆ１，ｆ２，ｆ３でそれぞれ交換されうる。各時間間隔では、全送信電力が、その時間間隔内での送信に利用可能な全ての周波数値域にわたって分散されうる。データ交換は、ダウンリンクでユーザへデータを送ること、アップリンクでユーザからデータを受信すること、あるいはそれら両方を含みうる。
【００５８】
図１０は、本明細書に記載する送信技術に従ってデータを交換する処理１０００の実施形態を示す。処理１０００は、セクタ化されたセル内のセクタによって行なわれうる。各ユーザが位置する領域が判定される（ブロック１０１２）。内部領域内のユーザは、Ｔｉｎ時間間隔における送信のためにスケジュールされる（ブロック１０１４）。外部領域内のユーザは、Ｔｏｕｔ時間間隔における送信のためにスケジュールされる（ブロック１０１６）。データは、Ｔｉｎ時間間隔において、内部領域内のスケジュールされたユーザと周波数帯域全体で交換される（ブロック１０１８）。データは、Ｔｏｕｔ時間間隔において、外部領域内のスケジュールされたユーザと、指定された周波数サブ帯域で交換される（ブロック１０２０）。この指定された周波数サブ帯域は、周波数帯域の一部であり、近隣セルにおける隣接セクタの周波数サブ帯域と直交している。あるいは、又はそれに加えて、データは、各Ｔｏｕｔ時間間隔の一部で、外部領域内のスケジュールされたユーザと交換される。
【００５９】
図１１は、本明細書に記載する送信技術に従ってデータを交換する処理１１００の実施形態を示す。処理１１００は、セクタ又はセルによって実施されうる。ユーザが位置する領域が判定される（ブロック１１１２）。データは、第１の周波数再使用スキームに基づいて、第１の時間間隔において、第１のユーザセットと交換される（ブロック１１１４）。データは、第２の周波数再使用スキームに基づいて、第２の時間間隔において、第２のユーザセットと交換される（ブロック１１１６）。第１のユーザセットは、セクタの内部セル内か、あるいは、セルの少なくとも１つの内部領域内に位置しうる。第２のユーザセットは、セクタの外部領域内か、あるいは、セルの多数の外部領域内に位置しうる。第１の周波数再使用スキームが、１である周波数使用ファクタと関連しており、送信のために周波数帯域全体が使用されることが可能となりうる。第２の周波数再使用スキームは、１未満の周波数使用ファクタと関連しており、異なる周波数サブ帯域、又は、第２の時間間隔の異なる部分を、異なる外部領域、又は、異なるセクタに割り当てうる。
【００６０】
図１２は、本明細書に記載の技術に従ってデータを交換する処理１２００の実施形態を示す。処理１２００は、端末によって実施されうる。例えば、異なる基地局に対し端末によってなされた測定に基づいて、及び／又は、この端末に対し基地局によってなされた測定に基づいて、端末が位置する領域が判定される（ブロック１２１２）。そして、この端末が、内部領域内に位置するのか、あるいは、外部領域内に位置するのかが判定される。端末が内部領域内に位置する場合、第１の時間間隔において、周波数帯域によって、少なくとも１つの基地局とデータが交換される（ブロック１２１４）。端末が外部領域内に位置する場合、第２の時間間隔において、周波数帯域によって、少なくとも１つの基地局とデータが交換される（ブロック１２１６）。周波数サブ帯域は、周波数帯域の一部である。
【００６１】
図１３は、基地局１１０及び端末１２０の実施形態のブロック図を示す。ダウンリンクの場合、基地局１１０では、送信（ＴＸ）データプロセッサ１３１０が、スケジュールされた端末のためにトラフィックデータを受信し、このトラフィックデータを処理（例えば、符号化、インタリーブ、及びシンボルマップ）し、データシンボルを提供する。本明細書で使用しているように、データシンボルはデータのための変調シンボルであり、パイロットシンボルはパイロットのための変調シンボルであり、変調シンボルは、信号コンステレーション（例えば、Ｍ−ＰＳＫ又はＭ−ＱＡＭのための）内のポイントのための複素数値である。また、パイロットは、基地局と端末との両方に演繹的に知られているデータである。
【００６２】
変調器１３１２は、ＯＦＤＭ、ＳＣ−ＦＤＭＡ、及び／又は、本システムによってサポートされているその他の変調技術を行なう。ＯＦＤＭの場合、変調器１３１２は、（１）スケジュールされた端末に割り当てられた周波数値域にデータシンボルをマップし、（２）パイロット送信のために使用される周波数値域にパイロットシンボルをマップし、（３）ＩＦＦＴを用いて、データシンボル及びパイロットシンボルを時間領域に変換し、（４）各ＯＦＤＭシンボルに周期的プレフィクスを追加しうる。ＳＣ−ＦＤＭＡの場合、変調器１３１２は、（１）ＦＦＴを用いて、データシンボル及びパイロットシンボルを周波数領域に変換し、（２）割り当てられた周波数値域に、ＦＦＴ出力をマップし、（３）割り当てられていない周波数値域にゼロ値をマップし、（４）このマップされた値を、ＩＦＦＴを用いて時間領域に変換し、（５）各ＳＣ−ＦＤＭＡシンボルに周期的プレフィックスを追加しうる。変調器１３１２は、ＯＦＤＭシンボル又はＳＣ−ＦＤＭＡシンボルでありうる送信シンボルのストリームを提供する。送信機ユニット（ＴＭＴＲ）１３１４は、この送信シンボルを処理（例えば、アナログ変換、フィルタ、増幅、及び周波数アップコンバート）し、ダウンリンク信号を生成する。これは、アンテナ１３１６を経由して送信される。
【００６３】
端末１２０では、アンテナ１３５２が、基地局１１０からのダウンリンク信号を受信し、この受信信号を、受信機ユニット（ＲＣＶＲ）１３５４に提供する。受信機ユニット１３５４は、この受信信号を調整（例えば、フィルタ、増幅、周波数ダウンコンバート、及びデジタル化）し、データサンプルを提供する。復調器（Ｄｅｍｏｄ）１３５６は、基地局１１０において変調器１３１２によって行なわれた変調に対する相補的な方法で復調を行ない、シンボル推定値を提供する。受信（ＲＸ）データプロセッサ１３５８は、このシンボル推定値を処理（例えば、逆マップ、逆インタリーブ、及び復号）し、復号データを提供する。
【００６４】
アップリンクでは、端末１２０において、トラフィックデータがＴＸデータプロセッサ１３７０によって処理され、更に変調器１３７２によって処理され、送信機ユニット１３７４によって調整されてアップリンク信号が生成される。これは、アンテナ１３５２を経由して送信される。基地局１１０では、アップリンク信号がアンテナ１３１６によって受信され、受信機ユニット１３３０によって調整され、復調器１３３２によって処理され、ＲＸデータプロセッサ１３３４によって更に処理される。
【００６５】
コントローラ／プロセッサ１３２０及びコントローラ／プロセッサ１３６０はそれぞれ、基地局１１０及び端末１２０における動作を指示する。コントローラ／プロセッサ１３２０及びコントローラ／プロセッサ１３６０は、更に、本明細書で記載した送信技術のための様々な機能を実行しうる。例えば、コントローラ／プロセッサ１３２０は、図９中の処理９００、図１０中の処理１０００、及び／又は図１１中の処理１１００の実行又は監督をしうる。コントローラ／プロセッサ１３６０は、図１２中の処理１２００の実行又は監督をしうる。メモリユニット１３２２及びメモリユニット１３６２は、それぞれ基地局１１０及び端末１２０のためのデータとプログラムコードを格納する。
【００６６】
本明細書に記載の送信技術の場合、セクタ、セル、多数のセクタ、又は多数のセルのためのスケジューラは、ユーザがそれぞれ位置する領域を判定し、各ユーザのために使用されうる周波数サブ帯域を決定し、データ送信のためにユーザをスケジュールし、適用可能な周波数サブ帯域から、スケジュールされたユーザへの周波数値域の割り当て、又はトラフィックチャネルの割り当てを行いうる。セクタ又はセルはそれぞれ、スケジュールされた各ユーザに、例えばover-the-airシグナリングによって、割り当てられた周波数値域又はトラフィックチャネルを提供する。セクタ又はセルはそれぞれ、ダウンリンクで端末にデータを送るか、及び／又は、割り当てられた周波数値域で、端末からアップリンクでデータを受信しうる。
【００６７】
明確化のために、本送信技術は、特に、各周波数サブ帯域が、ＯＦＤＭ又はＳＣ−ＦＤＭＡで形成される多数の周波数値域を含むＯＦＤＭ及びＳＣ−ＦＤＭＡを対象として具体的に説明されている。この送信技術は、他の通信システムにも使用可能である。例えば、この技術は３つのキャリアを備えたＣＤＭＡシステムに使用されてもよい。キャリアは、ｃｄｍａ２０００における１．２３ＭＨｚの帯域幅を持っているかもしれない。各セルの内部領域は、３つのキャリア全てが割り当てられるかもしれない。そして、各セルの３つの領域すなわちセクタに、異なるキャリアが割り当てられるかもしれない。
【００６８】
当該技術における熟練者であれば、これら情報および信号が、種々異なった技術や技法を用いて表されることを理解するであろう。例えば、上述した記載の全体で引用されているデータ、指示、命令、情報、信号、ビット、シンボル、およびチップは、電圧、電流、電磁波、磁場または磁性粒子、光学場または光学微粒子、あるいはこれら何れかの組み合わせによって表現されうる。
【００６９】
これら熟練者であれば、更に、ここで開示された実施形態に関連して記載された様々な説明的論理ブロック、モジュール、回路、およびアルゴリズムステップが、電子工学ハードウェア、コンピュータソフトウェア、あるいはこれらの組み合わせとして実現されることを理解するであろう。ハードウェアとソフトウェアとの相互互換性を明確に説明するために、様々に例示された部品、ブロック、モジュール、回路、およびステップが、それらの機能に関して一般的に記述された。それら機能がハードウェアとして又はソフトウェアとして実現されているかは、特定のアプリケーション及びシステム全体に課せられている設計制約に依存する。熟練した技術者であれば、各特定のアプリケーションに応じて変更した方法で上述した機能を実施しうる。しかしながら、この適用判断は、本発明の範囲から逸脱したものと解釈されるべきではない。
【００７０】
ここで開示された実施形態に関連して記述された様々の説明的論理ブロック、モジュール、および回路は、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００７１】
ここで開示された実施形態に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣ内に存在することができる。ＡＳＩＣは、ユーザ端末内に存在することもできる。あるいはこのプロセッサと記憶媒体は、ユーザ端末内のディスクリート部品として存在しうる。
【００７２】
開示された実施形態における上述の記載は、当該技術分野におけるいかなる人であっても、本発明の活用または利用を可能とするように提供される。これらの実施形態への様々な変形例もまた、当該技術分野における熟練者に対しては明らかであって、ここで定義された一般的な原理は、本発明の主旨または範囲を逸脱せずに他の実施形態にも適用されうる。このように、本発明は、ここで示された実施形態に制限されるものではなく、ここで記載された原理と新規の特徴に一致した最も広い範囲に相当するものを意図している。
以下に、出願当初の特許請求の範囲に記載された発明を付記する。
［Ｃ１］
第１の時間間隔において、セルの少なくとも１つの内部領域内のユーザと、周波数帯域でデータを交換し、かつ、第２の時間間隔において、前記セルの多数の外部領域内のユーザと、前記周波数帯域で形成される多数の周波数サブ帯域でデータを交換するように構成された少なくとも１つのプロセッサと、
前記少なくとも１つのプロセッサに接続されたメモリと
を備える装置。
［Ｃ２］
前記少なくとも１つのプロセッサは、少なくとも１つの近隣セル内の少なくとも１つの隣接する外部領域のために使用される少なくとも１つの周波数サブ帯域とオーバラップしない別の周波数サブ帯域で、各外部領域内のユーザとデータを交換するＣ１に記載の装置。
［Ｃ３］
前記多数の外部領域は、第１、第２、及び第３の外部領域を備え、前記多数の周波数サブ帯域は、第１、第２、及び第３の周波数サブ帯域を備え、前記少なくとも１つのプロセッサは、前記第２の時間間隔において、前記第１、第２、及び第３それぞれの周波数サブ帯域で、前記第１、第２、及び第３それぞれの外部領域内のユーザとデータを交換するＣ１に記載の装置。
［Ｃ４］
前記少なくとも１つのプロセッサは、低減された送信電力で、前記第２の時間間隔において、前記少なくとも１つの内部領域内の少なくとも１つのユーザとデータを交換するＣ１に記載の装置。
［Ｃ５］
前記少なくとも１つのプロセッサは、パイロット測定に基づいて、ユーザが位置する領域を判定するＣ１に記載の装置。
［Ｃ６］
前記少なくとも１つのプロセッサは、ユーザのためのアクティブセットを決定し、かつ、前記アクティブセットに基づいて、前記ユーザが位置する領域を判定するＣ１に記載の装置。
［Ｃ７］
前記周波数帯域は、複数の周波数値域を含み、前記多数の周波数サブ帯域の各々は、前記複数の周波数値域からなる異なるサブセットを備えるＣ１に記載の装置。
［Ｃ８］
前記少なくとも１つのプロセッサは、直交周波数分割多重化（ＯＦＤＭ）を用いて前記ユーザとデータを交換するＣ１に記載の装置。
［Ｃ９］
前記少なくとも１つのプロセッサは、シングルキャリア周波数分割多元接続（ＳＣ−ＦＤＭＡ）を使用して前記ユーザとデータを交換するＣ１に記載の装置。
［Ｃ１０］
第１の時間間隔において、セルのうちの少なくとも１つの内部領域内のユーザと、周波数帯域でデータを交換することと、
第２の時間間隔において、前記セルのうちの多数の外部領域内のユーザと、前記周波数帯域で形成される多数の周波数サブ帯域でデータを交換することと
を備える方法。
［Ｃ１１］
前記多数の外部領域内のユーザとデータを交換することは、前記第２の時間間隔において、第１、第２、及び第３それぞれの外部領域内のユーザと、第１、第２、及び第３それぞれの周波数サブ帯域でデータを交換することを備えるＣ１０に記載の方法。
［Ｃ１２］
前記少なくとも１つの内部領域内のユーザのためのデータと、前記多数の外部領域内のユーザのためのデータとを、直交周波数分割多重化（ＯＦＤＭ）を用いて処理することを更に備えるＣ１０に記載の方法。
［Ｃ１３］
ユーザが位置する領域を、パイロット測定に基づいて判定することを更に備えるＣ１０に記載の方法。
［Ｃ１４］
第１の時間間隔において、セルのうちの少なくとも１つの内部領域内のユーザと、周波数帯域でデータを交換する手段と、
第２の時間間隔において、前記セルのうちの多数の外部領域内のユーザと、前記周波数帯域で形成される多数の周波数サブ帯域でデータを交換する手段と
を備える装置。
［Ｃ１５］
前記多数の外部領域内のユーザとデータを交換する手段は、前記第２の時間間隔において、第１、第２、及び第３それぞれの外部領域内のユーザと、第１、第２、第３それぞれの周波数サブ帯域でデータを交換する手段を備えるＣ１４に記載の装置。
［Ｃ１６］
前記少なくとも１つの内部領域内のユーザのためのデータと、多数の外部領域内のユーザのためのデータとを、直交周波数分割多重化（ＯＦＤＭ）を用いて処理する手段を更に備えるＣ１４に記載の装置。
［Ｃ１７］
ユーザが位置する領域を、パイロット測定に基づいて判定する手段を更に備えるＣ１４に記載の装置。
［Ｃ１８］
第１の時間間隔において、セクタの第１の領域内のユーザと、周波数帯域でデータを交換し、かつ、第２の時間間隔において、前記セクタの第２の領域内のユーザと、前記周波数帯域の一部に相当する周波数サブ帯域でデータを交換するように構成された少なくとも１つのプロセッサと、
前記少なくとも１つのプロセッサに接続されたメモリと
を備える装置。
［Ｃ１９］
前記第１の領域及び第２の領域はそれぞれ、前記セクタの第１の領域及び第２の領域であるＣ１８に記載の装置。
［Ｃ２０］
前記少なくとも１つのプロセッサは、前記第１の時間間隔のために、前記周波数帯域内の周波数値域にわたって全送信電力を分散し、かつ、前記第２の時間間隔のために、前記周波数サブ帯域内の周波数値域にわたって全送信電力を分散させるＣ１８に記載の装置。
［Ｃ２１］
第１の時間間隔において、セクタの第１の領域内のユーザと、周波数帯域でデータを交換する手段と、
第２の時間間隔において、前記セクタの第２の領域内のユーザと、前記周波数帯域の一部に対応する周波数サブ帯域でデータを交換する手段と
を備える装置。
［Ｃ２２］
前記第１の時間間隔のために、前記周波数帯域内の周波数値域にわたって全送信電力を分散させる手段と、
前記第２の時間間隔のために、前記周波数サブ帯域内の周波数値域にわたって全送信電力を分散させる手段と
を更に備えるＣ２１に記載の装置。
［Ｃ２３］
前記第１の時間間隔において、第１の周波数再使用スキームに基づいて、第１のユーザセットとデータを交換し、かつ、第２の時間間隔において、第２の周波数再使用スキームに基づいて、第２のユーザセットとデータを交換するように構成された少なくとも１つのプロセッサと、
前記少なくとも１つのプロセッサに接続されたメモリと
を備える装置。
［Ｃ２４］
前記第１の周波数再使用スキームは、１である周波数使用ファクタに関連しており、前記第２の周波数再使用スキームは、１未満の周波数使用ファクタに関連しているＣ２３に記載の装置。
［Ｃ２５］
前記少なくとも１つのプロセッサは、セクタ又はセルの内部領域内のユーザから第１のユーザセットを選択し、かつ、前記第１の時間間隔において、前記内部領域内の選択されたユーザへ、周波数帯域でデータを送るＣ２３に記載の装置。
［Ｃ２６］
前記少なくとも１つのプロセッサは、セルの多数の外部領域内のユーザから、第２のユーザセットを選択し、かつ、前記第２の時間間隔において、前記多数の外部領域内の選択されたユーザへ、別の周波数サブ帯域でデータを送るＣ２３に記載の装置。
［Ｃ２７］
前記少なくとも１つのプロセッサは、セルの多数の外部領域内のユーザから、第２のユーザセットを選択し、かつ、第２の時間間隔の別の部分において、前記多数の外部領域内の選択されたユーザへデータを送るＣ２３に記載の装置。
［Ｃ２８］
前記少なくとも１つのプロセッサは、セクタの外部領域内のユーザから、第２のユーザセットを選択し、かつ、前記第２の時間間隔において、前記外部領域内の選択されたユーザへ、周波数サブ帯域でデータを送るＣ２３に記載の装置。
［Ｃ２９］
第１の時間間隔において、第１の周波数再使用スキームに基づいて、第１のユーザセットとデータを交換する手段と、
第２の時間間隔において、第２の周波数再使用スキームに基づいて、第２のユーザセットとデータを交換する手段と
を備える装置。
［Ｃ３０］
前記第２のユーザセットとデータを交換する手段は、
セルの多数の外部領域内のユーザから、前記第２のユーザセットを選択する手段と、
前記第２の時間間隔において、前記多数の外部領域内の選択されたユーザと、別の周波数サブ帯域でデータを交換する手段と
を備えるＣ２９に記載の装置。
［Ｃ３１］
前記第２のユーザセットとデータを交換する手段は、
セクタの外部領域内のユーザから前記第２のユーザセットを選択する手段と、
前記第２の時間間隔において、前記外部領域内の選択されたユーザと、周波数サブ帯域でデータを交換する手段と
を備えるＣ２９に記載の装置。
［Ｃ３２］
端末であって、
前記端末が、セクタ又はセルの内部領域内に位置しているのであれば、第１の時間間隔において、基地局と、周波数帯域でデータを交換し、前記端末が、前記セクタ又はセルの外部領域内に位置しているのであれば、第２の時間間隔において、前記周波数帯域で形成される多数の周波数サブ帯域のうちの１つである周波数サブ帯域で、前記基地局とデータを交換するように構成された少なくとも１つのプロセッサと、
前記少なくとも１つのプロセッサに接続されたメモリと
を備える端末。
［Ｃ３３］
前記少なくとも１つのプロセッサは、前記端末のアクティブセットに基づいて、前記端末が位置している領域を判定するＣ３２に記載の端末。
［Ｃ３４］
前記少なくとも１つのプロセッサは、基地局のためのパイロット測定値を取得し、かつ、前記パイロット測定値に基づいて、前記端末が位置する領域を判定するＣ３２に記載の端末。
［Ｃ３５］
端末が、セクタ又はセルの内部領域内に位置しているのであれば、第１の時間間隔において、周波数帯域で基地局とデータを交換することと、
前記端末が、前記セクタ又はセルの外部領域内に位置しているのであれば、第２の時間間隔において、前記周波数帯域で形成される多数の周波数サブ帯域のうちの１つである周波数サブ帯域で前記基地局とデータを交換することと
を備える方法。
［Ｃ３６］
基地局のためのパイロット測定値を取得することと、
前記パイロット測定値に基づいて、前記端末が位置している領域を判定することとを更に備えるＣ３５に記載の方法。
［Ｃ３７］
端末が、セクタ又はセルの内部領域内に位置するのであれば、第１の時間間隔において、基地局と、周波数帯域でデータを交換する手段と、
前記端末が、前記セクタ又はセルの外部領域内に位置するのであれば、第２の時間間隔において、前記周波数帯域で形成される多数の周波数サブ帯域のうちの１つである周波数サブ帯域で前記基地局とデータを交換する手段と
を備える装置。
［Ｃ３８］
基地局のためのパイロット測定値を取得する手段と、
前記パイロット測定値に基づいて、前記端末が位置する領域を判定する手段とを更に備えるＣ３７に記載の装置。
【図１】
0005539464.tif 000005
【図２】
0005539464.tif 000006
【図３】
0005539464.tif 000007
【図４Ａ】
0005539464.tif 000008
【図４Ｂ】
0005539464.tif 000009
【図５】
0005539464.tif 000010
【図６】
0005539464.tif 000011
【図７Ａ】
0005539464.tif 000012
【図７Ｂ】
0005539464.tif 000013
【図８】
0005539464.tif 000014
【図９】
0005539464.tif 000015
【図１０】
0005539464.tif 000016
【図１１】
0005539464.tif 000017
【図１２】
0005539464.tif 000018
【図１３】
0005539464.tif 000019